(57)【要約】【課題】  無線携帯端末紛失、盗難時に端末内のユーザデータ、通信機能、電子マネー機能などを不正使用されることを防ぐためセキュリティを強化したセキュリティ強化システム、セキュリティ強化方法、及びそのプログラムを提供する。【解決手段】  無線携帯端末１内に保持される資源を利用するときに、紛失した無線携帯端末１から端末ロック認証サーバ４にアクセスし、資源の利用が許可されているか確認した上で、無線携帯端末１内の資源の利用を許可する。よって、無線携帯端末１の電源が切られているときや電波の圏外であるときでも、予め端末ロック認証サーバ４に無線携帯端末１内の資源の利用を制限する設定を格納しておくことにより、無線携帯端末１内の資源の不正使用を防ぐことができる。【選択図】  図１
2006287503.tif 000002
【特許請求の範囲】
【請求項１】
無線携帯端末と、前記無線携帯端末の通信を制御するサーバと、前記サーバにアクセス可能な情報処理端末とを有するセキュリティ強化システムにおいて、
前記情報処理端末は、前記無線携帯端末が保持するデータの使用を制限するロック設定を前記サーバに要求し、
前記サーバは、前記ロック設定を記憶し、
前記無線携帯端末は、前記サーバが保持する前記ロック設定を確認し、
前記無線携帯端末は、前記ロック設定に応じて前記データを提供することを特徴とするセキュリティ強化システム。
【請求項２】
前記ロック設定は、前記無線携帯端末内に保持される前記各データの利用の可否であることを特徴とする請求項１記載のセキュリティ強化システム。
【請求項３】
前記無線携帯端末は、
前記無線携帯端末が保持する前記データを利用するとき、前記サーバに前記ロック設定が記憶されているか否かを確認し、
前記サーバに前記ロック設定が記憶されていないとき、前記無線携帯端末は前記データの提供を許可することを特徴とする請求項１又は２記載のセキュリティ強化システム。
【請求項４】
前記サーバは、
前記サーバに前記ロック設定が記憶されているとき、前記無線携帯端末の電源がＯＮされている否かを検出し、
前記無線携帯端末の電源がＯＦＦされているとき、前記無線携帯端末の電源をＯＮすることを特徴とする請求項３記載のセキュリティ強化システム。
【請求項５】
前記ロック設定により前記無線携帯端末内に保持される前記データの利用が禁止されているとき、前記無線携帯端末は前記データの提供を拒否することを特徴とする請求項１から４のいずれか１項記載のセキュリティ強化システム。
【請求項６】
前記無線携帯端末により前記データの提供が拒否されたとき、前記無線携帯端末は、前記データの提供が拒否された旨を報知することを特徴とする請求項５記載のセキュリティ強化システム。
【請求項７】
無線携帯端末と、前記無線携帯端末の通信を制御するサーバと、前記サーバにアクセス可能な情報処理端末とを有するセキュリティ強化システムのセキュリティ強化方法において、
前記情報処理端末は、前記無線携帯端末が保持するデータの使用を制限するロック設定を前記サーバに要求する工程と、
前記サーバは、前記ロック設定を記憶する工程と、
前記無線携帯端末は、前記サーバが保持する前記ロック設定を確認する工程と、
前記無線携帯端末は、前記ロック設定に応じて前記データを提供する工程とを有することを特徴とするセキュリティ強化方法。
【請求項８】
前記ロック設定は、前記無線携帯端末内に保持される前記各データの利用の可否であることを特徴とする請求項７記載のセキュリティ強化方法。
【請求項９】
前記無線携帯端末は、
前記無線携帯端末が保持する前記データを利用するとき、前記サーバに前記ロック設定が記憶されているか否かを確認する工程と、
前記サーバに前記ロック設定が記憶されていないとき、前記無線携帯端末は前記データの提供を許可する工程とを有することを特徴とする請求項７又は８記載のセキュリティ強化方法。
【請求項１０】
前記サーバは、
前記サーバに前記ロック設定が記憶されているとき、前記無線携帯端末の電源がＯＮされている否かを検出する工程と、
前記無線携帯端末の電源がＯＦＦされているとき、前記無線携帯端末の電源をＯＮする工程とを有することを特徴とする請求項９記載のセキュリティ強化方法。
【請求項１１】
前記ロック設定により前記無線携帯端末内に保持される前記データの利用が禁止されているとき、前記無線携帯端末は前記データの提供を拒否する工程を有することを特徴とする請求項７から１０のいずれか１項記載のセキュリティ強化方法。
【請求項１２】
前記無線携帯端末により前記データの提供が拒否されたとき、前記無線携帯端末は、前記データの提供が拒否された旨を報知する工程を有することを特徴とする請求項１１記載のセキュリティ強化方法。
【請求項１３】
無線携帯端末と、前記無線携帯端末の通信を制御するサーバと、前記サーバにアクセス可能な情報処理端末とを有するセキュリティ強化システムのセキュリティ強化プログラムにおいて、
前記情報処理端末は、前記無線携帯端末が保持するデータの使用を制限するロック設定を前記サーバに要求する処理と、
前記サーバは、前記ロック設定を記憶する処理と、
前記無線携帯端末は、前記サーバが保持する前記ロック設定を確認する処理と、
前記無線携帯端末は、前記ロック設定に応じて前記データを提供する処理とを有することを特徴とするセキュリティ強化プログラム。
【請求項１４】
前記ロック設定は、前記無線携帯端末内に保持される前記各データの利用の可否であることを特徴とする請求項１３記載のセキュリティ強化プログラム。
【請求項１５】
前記無線携帯端末は、
前記無線携帯端末が保持する前記データを利用するとき、前記サーバに前記ロック設定が記憶されているか否かを確認する処理と、
前記サーバに前記ロック設定が記憶されていないとき、前記無線携帯端末は前記データの提供を許可する処理とを有することを特徴とする請求項１３又は１４記載のセキュリティ強化プログラム。
【請求項１６】
前記サーバは、
前記サーバに前記ロック設定が記憶されているとき、前記無線携帯端末の電源がＯＮされている否かを検出する処理と、
前記無線携帯端末の電源がＯＦＦされているとき、前記無線携帯端末の電源をＯＮする処理とを有することを特徴とする請求項１５記載のセキュリティ強化プログラム。
【請求項１７】
前記ロック設定により前記無線携帯端末内に保持される前記データの利用が禁止されているとき、前記無線携帯端末は前記データの提供を拒否する処理を有することを特徴とする請求項１３から１６のいずれか１項記載のセキュリティ強化プログラム。
【請求項１８】
前記無線携帯端末により前記データの提供が拒否されたとき、前記無線携帯端末は、前記データの提供が拒否された旨を報知する処理を有することを特徴とする請求項１７記載のセキュリティ強化プログラム。
【発明の詳細な説明】
【技術分野】
【０００１】
本発明は、セキュリティ強化システム、セキュリティ強化方法、及びそのプログラムに関し、特に、無線携帯端末紛失、盗難時に端末内のユーザデータ、通信機能、電子マネー機能などを不正使用されることを防ぐためセキュリティを強化したセキュリティ強化システム、セキュリティ強化方法、及びそのプログラムに関する。
【背景技術】
【０００２】
携帯電話機で代表される移動通信端末は、ユーザが携帯しながら、場所を選ばずに自由に利用することができるという利便性を有する。その一方で、紛失や盗難される機会も多く、所有者以外の者に悪用されてしまう危険性が非常に高い。
【０００３】
通常、この種の移動通信端末には、その端末に対する操作をロックするためのロック機能が備えられており、操作ロックした状態ではパスワードの入力、又は指紋センサによる認証なしには端末操作を行うことができないようになっている。また、盗難、紛失した移動通信端末に電話をかけ、予め設定されたパターンで呼び出し音を鳴らすことにより端末の使用にロックをかける遠隔ロック機能などがある。
【０００４】
特許文献１では、個人情報保護サーバが設けられる情報通信ネットワーク網に接続可能な機能を備える通信機能付携帯情報端末が、無線通信を介して個人情報保護サーバから受信される使用禁止情報を記憶する禁止情報記憶手段に使用禁止情報が記憶されているか否かを判断し、使用禁止情報が記憶されていれば予め定める使用不可能状態となるように制御することにより、通信機能付携帯情報端末の盗難、紛失後でも携帯情報端末の個人情報保護やネットワーク不正使用の保護を図ることができる通信機能付携帯情報端末、その不正使用防止方法、及びシステムが提案されている。
【特許文献１】特開２００３−７００７０号公報
【発明の開示】
【発明が解決しようとする課題】
【０００５】
しかし、上記の発明は以下の問題を有している。
【０００６】
従来の移動通信端末のロック機能を用い、操作ロックした状態ではパスワードの入力、又は指紋センサによる認証なしには端末操作を行うことができないようすることにより、紛失等した移動通信端末の第三者による不正使用を防止する方法は、紛失等する前に予めパスワードや指紋等の生体情報を移動通信端末に登録しておく必要がある。また、該ロック機能を使用した場合、紛失等する前にもユーザは、移動通信端末を使用する度にロックを解除する必要がある。
【０００７】
また、盗難、紛失した移動通信端末に電話をかけ、予め設定されたパターンで呼び出し音を鳴らすことにより端末の使用にロックをかける遠隔ロック機能は、移動通信端末の電源が切られている場合や該移動通信端末が電波圏外にある場合に利用することができない。
【０００８】
そこで、本発明は、端末資源使用時に携帯端末側からサーバにアクセスし、資源の利用が許可されているかいなか確認を行うことにより、端末の電源が切られているときや電波の圏外にあるときにも資源の不正使用を防止することができるセキュリティ強化システム、セキュリティ強化方法、及びそのプログラムを提案することを目的としている。
【課題を解決するための手段】
【０００９】
請求項１記載の発明は、無線携帯端末と、前記無線携帯端末の通信を制御するサーバと、前記サーバにアクセス可能な情報処理端末とを有するセキュリティ強化システムにおいて、前記情報処理端末は、前記無線携帯端末が保持するデータの使用を制限するロック設定を前記サーバに要求し、前記サーバは、前記ロック設定を記憶し、前記無線携帯端末は、前記サーバが保持する前記ロック設定を確認し、前記無線携帯端末は、前記ロック設定に応じて前記データを提供することを特徴とする。
【００１０】
請求項２記載の発明は、請求項１記載のセキュリティ強化システムにおいて、前記ロック設定は、前記無線携帯端末内に保持される前記各データの利用の可否であることを特徴とする。
【００１１】
請求項３記載の発明は、請求項１又は２記載のセキュリティ強化システムにおいて、前記無線携帯端末は、前記無線携帯端末が保持する前記データを利用するとき、前記サーバに前記ロック設定が記憶されているか否かを確認し、前記サーバに前記ロック設定が記憶されていないとき、前記無線携帯端末は前記データの提供を許可することを特徴とする。
【００１２】
請求項４記載の発明は、請求項３記載のセキュリティ強化システムにおいて、前記サーバは、前記サーバに前記ロック設定が記憶されているとき、前記無線携帯端末の電源がＯＮされている否かを検出し、前記無線携帯端末の電源がＯＦＦされているとき、前記無線携帯端末の電源をＯＮすることを特徴とする。
【００１３】
請求項５記載の発明は、請求項１から４のいずれか１項記載のセキュリティ強化システムにおいて、前記ロック設定により前記無線携帯端末内に保持される前記データの利用が禁止されているとき、前記無線携帯端末は前記データの提供を拒否することを特徴とする。
【００１４】
請求項６記載の発明は、請求項５記載のセキュリティ強化システムにおいて、前記無線携帯端末により前記データの提供が拒否されたとき、前記無線携帯端末は、前記データの提供が拒否された旨を報知することを特徴とする。
【００１５】
請求項７記載の発明は、無線携帯端末と、前記無線携帯端末の通信を制御するサーバと、前記サーバにアクセス可能な情報処理端末とを有するセキュリティ強化システムのセキュリティ強化方法において、前記情報処理端末は、前記無線携帯端末が保持するデータの使用を制限するロック設定を前記サーバに要求する工程と、前記サーバは、前記ロック設定を記憶する工程と、前記無線携帯端末は、前記サーバが保持する前記ロック設定を確認する工程と、前記無線携帯端末は、前記ロック設定に応じて前記データを提供する工程とを有することを特徴とする。
【００１６】
請求項８記載の発明は、請求項７記載のセキュリティ強化方法において、前記ロック設定は、前記無線携帯端末内に保持される前記各データの利用の可否であることを特徴とする。
【００１７】
請求項９記載の発明は、請求項７又は８記載のセキュリティ強化方法において、前記無線携帯端末は、前記無線携帯端末が保持する前記データを利用するとき、前記サーバに前記ロック設定が記憶されているか否かを確認する工程と、前記サーバに前記ロック設定が記憶されていないとき、前記無線携帯端末は前記データの提供を許可する工程とを有することを特徴とする。
【００１８】
請求項１０記載の発明は、請求項９記載のセキュリティ強化方法において、前記サーバは、前記サーバに前記ロック設定が記憶されているとき、前記無線携帯端末の電源がＯＮされている否かを検出する工程と、前記無線携帯端末の電源がＯＦＦされているとき、前記無線携帯端末の電源をＯＮする工程とを有することを特徴とする。
【００１９】
請求項１１記載の発明は、請求項７から１０のいずれか１項記載のセキュリティ強化方法において、前記ロック設定により前記無線携帯端末内に保持される前記データの利用が禁止されているとき、前記無線携帯端末は前記データの提供を拒否する工程を有することを特徴とする。
【００２０】
請求項１２記載の発明は、請求項１１記載のセキュリティ強化方法において、前記無線携帯端末により前記データの提供が拒否されたとき、前記無線携帯端末は、前記データの提供が拒否された旨を報知する工程を有することを特徴とする。
【００２１】
請求項１３記載の発明は、無線携帯端末と、前記無線携帯端末の通信を制御するサーバと、前記サーバにアクセス可能な情報処理端末とを有するセキュリティ強化システムのセキュリティ強化プログラムにおいて、前記情報処理端末は、前記無線携帯端末が保持するデータの使用を制限するロック設定を前記サーバに要求する処理と、前記サーバは、前記ロック設定を記憶する処理と、前記無線携帯端末は、前記サーバが保持する前記ロック設定を確認する処理と、前記無線携帯端末は、前記ロック設定に応じて前記データを提供する処理とを有することを特徴とする。
【００２２】
請求項１４記載の発明は、請求項１３記載のセキュリティ強化プログラムにおいて、前記ロック設定は、前記無線携帯端末内に保持される前記各データの利用の可否であることを特徴とする。
【００２３】
請求項１５記載の発明は、請求項１３又は１４記載のセキュリティ強化プログラムにおいて、前記無線携帯端末は、前記無線携帯端末が保持する前記データを利用するとき、前記サーバに前記ロック設定が記憶されているか否かを確認する処理と、前記サーバに前記ロック設定が記憶されていないとき、前記無線携帯端末は前記データの提供を許可する処理とを有することを特徴とする。
【００２４】
請求項１６記載の発明は、請求項１５記載のセキュリティ強化プログラムにおいて、前記サーバは、前記サーバに前記ロック設定が記憶されているとき、前記無線携帯端末の電源がＯＮされている否かを検出する処理と、前記無線携帯端末の電源がＯＦＦされているとき、前記無線携帯端末の電源をＯＮする処理とを有することを特徴とする。
【００２５】
請求項１７記載の発明は、請求項１３から１６のいずれか１項記載のセキュリティ強化プログラムにおいて、前記ロック設定により前記無線携帯端末内に保持される前記データの利用が禁止されているとき、前記無線携帯端末は前記データの提供を拒否する処理を有することを特徴とする。
【００２６】
請求項１８記載の発明は、請求項１７記載のセキュリティ強化プログラムにおいて、前記無線携帯端末により前記データの提供が拒否されたとき、前記無線携帯端末は、前記データの提供が拒否された旨を報知する処理を有することを特徴とする。
【発明の効果】
【００２７】
本発明は、端末資源使用時に携帯端末側からサーバにアクセスし、資源の利用が許可されているかいなか確認を行うことにより、端末の電源が切られているときや電波の圏外にあるときにも資源の不正使用を防止することができる。
【発明を実施するための最良の形態】
【００２８】
以下に、本発明の一実施形態に係る無線携帯端末のセキュリティ強化システムの構成及び動作について説明する。
【００２９】
まず、図１を用い本実施形態に係るセキュリティ強化システムの構成について説明する。
【００３０】
本実施形態に係るセキュリティ強化システムは、紛失や盗難された場合に端末内に保存される資源が不正使用されないようにロックをかける対象である無線携帯端末（１、２）、無線携帯端末（１、２）と無線で通信を行う基地局３、無線携帯端末（１、２）内の資源の利用がロックされているか否かの確認、電話５やＰＣ６からの依頼を受けて無線携帯端末（１、２）内の資源の利用をロックするか否かの設定を保持する端末ロック認証サーバ４、無線携帯端末（１、２）内の資源の利用をロックすることを端末ロック認証サーバ４に依頼する電話５及びＰＣ６を有して構成される。
【００３１】
なお、無線携帯端末（１、２）は、端末ロック認証サーバ４にアクセスし、無線携帯端末（１、２）内の資源の利用がロックされているか否かを確認するとき、ロックされた無線携帯端末（１、２）を識別する端末識別ＩＤを送信し、端末ロック認証サーバ４での無線携帯端末（１、２）の識別を可能にしている。
【００３２】
次に、無線携帯端末１を紛失した場合の本実施形態に係るセキュリティ強化システムの動作について図２を用いて説明する。
【００３３】
まず、あらかじめ携帯端末１で端末内資源にアクセスするときにサーバに確認を求めるかを設定しておく。この設定には、単純なＯＮ／ＯＦＦだけでなく、ユーザデータの種類毎の設定や、電子マネー使用時の場合には一回あたりの使用料金や一定期間の使用金額などサーバにアクセスするための細かい条件を含んでも良い。またこの設定メニューにはパスワード入力を求めるなどメニューへのアクセス制限がかけられ携帯端末の不正利用者に設定を変更されないための機能をもつ。
【００３４】
そして、紛失した携帯端末１の使用が開始されると（ステップＳ２１）、携帯端末１の使用がサーバ設定確認条件を満たしているか否かを判断する（ステップＳ２２）。この設定条件を満たす場合は（ステップＳ２２／ＹＥＳ）、遠隔ロック確認サーバにアクセスし使用を許可して良いか確認を行う（ステップＳ２５）。このとき携帯端末の電源が切られている場合は電源を自動的に入れ通信を行えるようにする（ステップＳ２３、Ｓ２４）。
【００３５】
サーバへの確認の結果（ステップＳ２５）、端末の資源を使用可能、つまりロックがかかっていない状態であった場合（ステップＳ２６／ＹＥＳ）、許可された端末内の資源（ユーザデータ、通信機能、電子マネー機能）を携帯端末１，２の利用者は使用することができる（ステップＳ２７）。サーバへの確認の結果、サーバにその携帯端末の使用が不可である設定がされている場合や電波圏外でサーバにアクセスできない場合は（ステップＳ２６／ＮＯ）、携帯端末１上にエラー表示を行い、端末のその資源の使用は許可されない（ステップＳ２８）。
【００３６】
次に図３を用いて電話５、ＰＣ６から端末ロック認証サーバ４にアクセスし携帯端末１、２のロック設定を行うときのサーバの動作について説明する。
【００３７】
電話５やＰＣ６からサーバにアクセスしてきた場合（ステップ３１／ＹＥＳ）、対象となる携帯端末の電話番号、パスワードの入力を求め、合致した場合は（ステップＳ３２／ＹＥＳ）、電話５、ＰＣ６から携帯端末のロック設定の変更を許可する（ステップ３３）。
【００３８】
次に、本実施形態に係るセキュリティ強化システムの他の動作について図４を参照して説明する。
【００３９】
図４において図２との差分はステップ２３がないことである。端末の電源がＯＦＦの場合には電源を自動的にＯＮにはせず、エラー表示を行い端末の資源を使用不可能にする（ステップＳ４８）。他の構成については、図２において説明した内容と同様であるため、説明を省略する。
【００４０】
図２及び４に示す動作によれば、端末資源使用時に携帯端末側からサーバにアクセスし、資源の利用が許可されているかいなか確認を行うことにより、端末の電源が切られているときや電波の圏外にあるときにも資源の不正使用を防止することができる。
【００４１】
また、端末の資源使用時に、端末が自動的にサーバにアクセスし、ロックがかかっているかを確認することにより、端末にパスワードを設定する端末ロックの方法に比べて認証の手間が毎回手動で行わなくてもよい。
【実施例１】
【００４２】
以下に、上述の実施形態に係るセキュリティ強化システムの他の実施例について図５を用いて説明する。なお、セキュリティ強化システムの構成は、図１に示す構成と同様であるため、ここでは説明を省略する。
【００４３】
まず、無線携帯端末１のユーザは、予め、無線携帯端末１を使用する際、端末ロック認証サーバ４が保持する無線携帯端末１内の資源の利用をロックするか否かの設定（以下、ロック設定とする）を確認するか否かを設定する。
【００４４】
ロック設定は、無線携帯端末１自体の使用を制限するロック機能のＯＮ／ＯＦＦだけでなく、無線携帯端末に保持されるデータ毎の使用を制限するロック機能のＯＮ／ＯＦＦ、電子マネー使用時の場合には一回あたりの使用料金や一定期間の使用金額などサーバにアクセスするための細かい条件を含んでも良い。また、ロック設定は、無線携帯端末１を使用する前にパスワード入力を求めるなどのアクセス制限でもよく、不正利用者による使用を防止する。
【００４５】
まず、無線携帯端末１内に保持されている資源を使用する無線携帯端末１は、端末ロック認証サーバ４にアクセスし、無線携帯端末１内の資源の利用がロックされているか否かの確認を求める（ステップＳ５０１）。端末ロック認証サーバ４は、無線携帯端末１内の資源の利用を制限するロック設定が保持されているか否かにより、無線携帯端末１に無線携帯端末１内の資源の利用を許可すべきか否かを判断する（ステップＳ５０２）。
【００４６】
そして、端末ロック認証サーバ４に無線携帯端末１内の資源の利用を制限するロック設定が保持されていた場合（ステップＳ５０２／ＹＥＳ）、無線携帯端末１の電源がＯＮされているか否かを確認する（ステップＳ５０３）。ここで、無線携帯端末１の電源がＯＮされていないときは（ステップＳ５０３／ＮＯ）、端末ロック認証サーバ４は無線携帯端末１の電源をＯＮする（ステップＳ５０４）。
【００４７】
無線携帯端末１の電源がＯＮされると（ステップＳ５０３／ＹＥＳ、ステップＳ５０４）、無線携帯端末１は端末ロック認証サーバ４に保持されるロック設定を確認する（ステプＳ５０５）。例えば、無線携帯端末１に保持されるデータ毎のロック機能の設定、電子マネー使用時の場合には一回あたりの使用料金や一定期間の使用金額などサーバにアクセスするための細かい条件等を確認する。
【００４８】
端末ロック認証サーバ４に保持されるロック設定の確認が完了すると（ステップＳ５０５）、無線携帯端末１内の資源の利用が許可される。そして、無線携帯端末１から無線携帯端末１に格納されている資源の利用が要求される度に、無線携帯端末１は該資源の利用が端末ロック認証サーバ４に保持されるロック設定を満たしているか否かを判断する（ステップＳ５０６）。該資源の利用が該ロック設定を満たしていた場合（ステップＳ５０６／ＹＥＳ）、及び端末ロック認証サーバ４に無線携帯端末１内の資源の利用を制限するロック設定が保持されていなかった場合（ステップＳ５０２／ＮＯ）無線携帯端末１に無線携帯端末１に保持される資源の使用が許可される（ステップＳ５０７）。
【００４９】
一方、該資源の利用が端末ロック認証サーバ４に保持されるロック設定を満たしていなかった場合（ステップＳ５０６／ＮＯ）、無線携帯端末１が有する表示部にエラーを表示し、該無線携帯端末１に保持される資源の利用を禁止する（ステップＳ５０８）。
【００５０】
次に、無線携帯端末１の所有者等が該無線携帯端末を紛失、発見等し、無線携帯端末（１、２）、電話５、ＰＣ６（以下、無線携帯端末１等とする）を利用して、端末ロック認証サーバ４にアクセスし、無線携帯端末１のロック設定をＯＮ／ＯＦＦする動作について図６を用いて説明する。
【００５１】
端末ロック認証サーバ４は、無線携帯端末１等から無線携帯端末１のロック設定をＯＮ／ＯＦＦすることを要求するアクセスを受けると（ステップＳ６０１）、無線携帯端末１等に対してロック設定の変更を求める無線携帯端末１を識別する情報（例えば、電話番号、パスワード等）の入力を要求する（ステップＳ６０２）。無線携帯端末１等から無線携帯端末１の電話番号及びパスワードが入力されると、予め端末ロック認証サーバ４に登録された電話番号に対応する電話番号であるか、及び入力されたパスワードが予め登録された電話番号に対応するパスワードと一致するか否かを判断する（ステップＳ６０３）。
【００５２】
そして、無線携帯端末１等から入力された電話番号が予め端末ロック認証サーバ４に登録されており、かつ無線携帯端末１等から入力されたパスワードが端末ロック認証サーバ４に登録された電話番号に対応するパスワードと一致した場合は（ステップＳ６０３／ＹＥＳ）、無線携帯端末１のロック機能のＯＮ／ＯＦＦすることを許可する（ステップＳ６０４）。
【００５３】
一方、無線携帯端末１等から入力された電話番号が予め端末ロック認証サーバ４に登録されていなかった場合、又は、無線携帯端末１等から入力されたパスワードが端末ロック認証サーバ４に登録された電話番号に対応するパスワードと一致しなかった場合は（ステップＳ６０３／ＮＯ）、無線携帯端末１等からの無線携帯端末１のロック設定をＯＮ／ＯＦＦする要求を拒否する（ステップＳ６０５）。
【００５４】
以上の処理によれば、無線携帯端末１等を紛失し、該無線携帯端末１が電波の圏外にある場合でも、端末ロック認証サーバ４に無線携帯端末１の使用を制限するロック設定を保持しておくことにより、無線携帯端末１の不正使用を防止することができる。
【実施例２】
【００５５】
次に、無線携帯端末１を紛失した場合の本実施形態に係るセキュリティ強化システムの他の動作について図７を用いて説明する。なお、セキュリティ強化システムの構成は、図１に示す構成と同様であるため、ここでは説明を省略する。
【００５６】
まず、無線携帯端末１のユーザは、予め、無線携帯端末１を使用する際、端末ロック認証サーバ４が保持する無線携帯端末（１、２）内の資源の利用をロックするか否かの設定（以下、ロック設定とする）を確認するか否かを設定する。
【００５７】
ロック設定は、無線携帯端末１自体の使用を制限するロック機能のＯＮ／ＯＦＦだけでなく、無線携帯端末に保持されるデータ毎の使用を制限するロック機能のＯＮ／ＯＦＦ、電子マネー使用時の場合には一回あたりの使用料金や一定期間の使用金額などサーバにアクセスするための細かい条件を含んでも良い。また、ロック設定は、無線携帯端末１を使用する前にパスワード入力を求めるなどのアクセス制限でもよく、不正利用者による使用を防止する。
【００５８】
まず、無線携帯端末１内に保持されている資源へのアクセスを希望する無線携帯端末１は、端末ロック認証サーバ４にアクセスし、無線携帯端末１内の資源の利用がロックされているか否かの確認を求める（ステップＳ７０１）。端末ロック認証サーバ４は、無線携帯端末１内の資源の利用を制限するロック設定が保持されているか否かにより、無線携帯端末１に無線携帯端末１内の資源の利用を許可すべきか否かを判断する（ステップＳ７０２）。
【００５９】
そして、端末ロック認証サーバ４に無線携帯端末１内の資源の利用を制限するロック設定が保持されていた場合（ステップＳ７０２／ＹＥＳ）、無線携帯端末１の電源がＯＮされているか否かを確認する（ステップＳ７０３）。ここで、無線携帯端末１の電源がＯＮされていないときは（ステップＳ７０３／ＮＯ）、無線携帯端末１等が有する表示部にエラーを表示し、該無線携帯端末１に保持される資源の利用を禁止する（ステップＳ７０７）。
【００６０】
無線携帯端末１の電源がＯＮされているときは（ステップＳ７０３／ＹＥＳ）、無線携帯端末１は端末ロック認証サーバ４に保持されるロック設定を確認する（ステプＳ７０４）。例えば、無線携帯端末に保持されるデータ毎のロック機能の設定、電子マネー使用時の場合には一回あたりの使用料金や一定期間の使用金額などサーバにアクセスするための細かい条件等を確認する。
【００６１】
端末ロック認証サーバ４に保持されるロック設定の確認が完了すると（ステップＳ７０４）、無線携帯端末１内の資源の利用が許可される。そして、無線携帯端末１が無線携帯端末１に格納されている資源の利用が要求される度に、無線携帯端末２等は該資源の利用が端末ロック認証サーバ４に保持されるロック設定を満たしているか否かを判断する（ステップＳ７０５）。該資源の利用が該ロック設定を満たしていた場合（ステップＳ７０５／ＹＥＳ）、及び端末ロック認証サーバ４に無線携帯端末１内の資源の利用を制限するロック設定が保持されていなかった場合（ステップＳ７０２／ＮＯ）無線携帯端末１に無線携帯端末１に保存される資源の使用が許可される（ステップＳ７０６）。
【００６２】
一方、該資源の利用が端末ロック認証サーバ４に保持されるロック設定を満たしていなかった場合（ステップＳ７０５／ＮＯ）、無線携帯端末１が有する表示部にエラーを表示し、該無線携帯端末１に保持される資源の利用を禁止する（ステップＳ７０７）。
【図面の簡単な説明】
【００６３】
【図１】本実施形態に係るセキュリティ強化システムの構成を示すブロック図である。
【図２】本実施形態に係るセキュリティ強化システムの動作を示すフローチャートである。
【図３】端末ロック認証サーバの具体的な動作を示すフローチャートである。
【図４】本実施形態に係るセキュリティ強化システムの他の動作を示すフローチャートである。
【図５】実施例１に係るセキュリティ強化システムの動作を示すフローチャートである。
【図６】実施例１に係るセキュリティ強化システムのサーバの動作を示すフローチャートである。
【図７】実施例２に係るセキュリティ強化システムの動作を示すフローチャートである。
【符号の説明】
【００６４】
１、２    無線携帯端末
３    基地局
４    端末ロック認証サーバ
５    電話
６    ＰＣ
【図１】
2006287503.tif 000003
【図２】
2006287503.tif 000004
【図３】
2006287503.tif 000005
【図４】
2006287503.tif 000006
【図５】
2006287503.tif 000007
【図６】
2006287503.tif 000008
【図７】
2006287503.tif 000009